(57)【要約】【課題】自動的にロック状態となるねじの緩み止め装置及びこの緩み止め装置を適用したパンチ金型を提供する。【解決手段】  雄ねじ部材３３に相対的に移動可能に螺合したナット部材２３に径方向へ移動可能に支持され、雄ねじ部材３３の外周面に形成された溝３７に内端部が係合可能なロック片３９と、このロック片３９を内方向へ付勢するロック片付勢手段４１と、ナット部材２３の外周に回動可能に備えられ、ロック片３９の外方向へ移動を許容する移動許容部４７及びロック片３９の外方向への移動を規制する移動規制部４５とを内周面に備えたロックリング４３と、ロック片３９と移動規制部４５とが常に対向した状態の固定位置へロックリング４３を回動復帰するための固定位置復帰手段５１とを備えている。パンチ金型は、パンチボディ３３の上部に形成した雄ねじ部３５にパンチヘッド２３を相対的に移動可能に螺合して備えたパンチ金型であって、上記螺合部に緩み止め装置を備えている。【選択図】図１
2006000889.tif 000002
【特許請求の範囲】
【請求項１】
雄ねじ部材に相対的に移動可能に螺合したナット部材に径方向へ移動可能に支持され、前記雄ねじ部材の外周面に形成された長手方向の溝に内端部が係合可能なロック片と、このロック片を内方向へ付勢するロック片付勢手段と、前記ナット部材の外周に回動可能に備えられ、前記ロック片の外方向へ移動を許容する移動許容部及び前記ロック片の外方向への移動を規制する移動規制部とを内周面に備えたロックリングと、前記ロック片と前記移動規制部とが常に対向した状態の固定位置へ前記ロックリングを回動復帰するための固定位置復帰手段とを備えていることを特徴とするねじの緩み止め装置。
【請求項２】
パンチボディの上部に形成した雄ねじ部にパンチヘッドを相対的に移動可能に螺合して備えたパンチ金型であって、前記パンチヘッドに径方向へ移動可能に支持され、前記雄ねじ部の外周面に形成された長手方向の溝に内端部が係合可能なロック片と、このロック片を内方向へ付勢するロック片付勢手段と、前記パンチヘッドの外周に回動可能に備えられ、前記ロック片の外方向への移動を許容する移動許容部及び前記ロック片の外方向への移動を規制する移動規制部とを内周面に備えたロックリングと、前記ロック片と前記移動規制部とが常に対向した状態の固定位置へ前記ロックリングを回動復帰するための固定位置復帰手段とを備えていることを特徴とするパンチ金型。
【請求項３】
請求項２に記載のパンチ金型であって、前記パンチヘッドの上面よりも前記ロックリングの上面を低く設けてあることを特徴とするパンチ金型。
【発明の詳細な説明】
【技術分野】
【０００１】
本発明は、ねじの緩み止め装置及び同装置を備えたパンチ金型に係り、さらに詳細には、パンチ金型におけるパンチボディの上部に形成した雄ねじ部に相対的に上下調節可能に螺合したパンチヘッドの緩み止めを行う緩み止め装置及び同緩み止め装置を備えたパンチ金型に関する。
【背景技術】
【０００２】
パンチ金型とダイ金型とによって、例えば板状のワークの打抜き加工を行うと、パンチ金型におけるパンチ刃部が次第に摩耗するので再研磨を行うことがある。このように再研磨を行うと、パンチ金型の全長が僅かに短くなるので、前記再研磨分を補正するように、パンチ金型に備えたパンチボディの上端部には、パンチヘッドが上下調節可能に螺合してある（例えば特許文献１参照）。
【特許文献１】特開昭６３−３６９３４号公報
【発明の開示】
【発明が解決しようとする課題】
【０００３】
パンチ金型におけるパンチボディの上部に形成したねじ部にナット部材としてのパンチヘッドを単に上下調節可能に螺合した構成においては、振動によってパンチヘッドが緩み易いので、上記パンチヘッドに径方向に備えた止めねじの先端部を雄ねじ部へ押圧するように緩め付けて緩み止めが行われている。また、パンチヘッドに備えた止めねじを、前記雄ねじ部に形成した構成は係合面に係合することによって緩み止めが行われている。
【０００４】
すなわち、従来の構成において、パンチヘッドの螺合部（ねじ部）の緩み止めを行うには、前記止めねじを、工具を用いて緩めたり、締め付けたりする必要があり、操作が厄介であるという問題がある。
【課題を解決するための手段】
【０００５】
本発明は、前述のごとき問題に鑑みてなされたもので、雄ねじ部材に相対的に移動可能に螺合したナット部材に径方向へ移動可能に支持され、前記雄ねじ部材の外周面に形成された長手方向の溝に内端部が係合可能なロック片と、このロック片を内方向へ付勢するロック片付勢手段と、前記ナット部材の外周に回動可能に備えられ、前記ロック片の外方向へ移動を許容する移動許容部及び前記ロック片の外方向への移動を規制する移動規制部とを内周面に備えたロックリングと、前記ロック片と前記移動規制部とが常に対向した状態の固定位置へ前記ロックリングを回動復帰するための固定位置復帰手段とを備えていることを特徴とするものである。
【０００６】
また、本発明は、パンチボディの上部に形成した雄ねじ部にパンチヘッドを相対的に移動可能に螺合して備えたパンチ金型であって、前記パンチヘッドに径方向へ移動可能に支持され、前記雄ねじ部の外周面に形成された長手方向の溝に内端部が係合可能なロック片と、このロック片を内方向へ付勢するロック片付勢手段と、前記パンチヘッドの外周に回動可能に備えられ、前記ロック片の外方向への移動を許容する移動許容部及び前記ロック片の外方向への移動を規制する移動規制部とを内周面に備えたロックリングと、前記ロック片と前記移動規制部とが常に対向した状態の固定位置へ前記ロックリングを回動復帰するための固定位置復帰手段とを備えていることを特徴とするものである。
【０００７】
また、上記パンチ金型において、前記パンチヘッドの上面よりも前記ロックリングの上面を低く設けてあることを特徴とするものである。
【発明の効果】
【０００８】
本発明によれば、ロック片の外方向の移動を規制した状態においては、雄ねじ部材とナット部材とが前記ロック片を介して一体化されるので、ねじの緩み止めを行うことができる。そして、ロック片の外方向への移動を許容する場合には、雄ねじ部材に対してナット部材を回転することができる。
【０００９】
前記ロック片の外方向への移動の規制、許容は、内周面に移動規制部、移動許容部を備えたロックリングを回動することによって行うことができるので、工具を用いることなく容易に緩み止めを行うことができる。
【発明を実施するための最良の形態】
【００１０】
以下、図面を用いて本発明の実施形態を説明するに、ねじの緩み止め装置としては、パンチ金型におけるパンチヘッドの調節を行う部分に実施した場合について例示する。
【００１１】
図１を参照するに、本実施形態に係るパンチ金型１は、パンチプレス（図示省略）における金型ホルダに上下動可能に支持される円筒形状のパンチガイド３を備えている。このパンチガイド３の下端部には、下端部に形成した横方向（軸心に対し直交する方向）の開口部を介して横方向に着脱可能な板押え５が備えられている。
【００１２】
この板押え５には、パンチガイド３との間の微小クリアランスを吸収して板押え５をパンチガイド３に密着するために、オーリングのごとき弾性リング７が備えられていると共にワッシャなどのごときリング部材９が備えられている。したがって、パンチガイド３に板押え５を装着した状態においては、前記弾性リング７が弾性変形してパンチガイド３と板押え５との微小クリアランスを吸収して密着した状態にある。
【００１３】
前記パンチガイド３の上部にはフランジ１１が備えられており、このフランジ１１の上部には、リテーナカラー１３が着脱可能に装着してある。すなわち、リテーナカラー１３は、前記フランジ１１から上方に突出した円筒突出部１５の外側に嵌合してある。そして、上記リテーナカラー１３の内周面には、前記円筒突出部１５の外周面に形成した周溝等のごとき係合凹部１５Ａに一部が係合離脱自在なワイヤなどの弾性ロック片１７が備えられている。
【００１４】
前記係合凹部１５Ａに対して前記弾性ロック片１７を係合すべく、前記弾性ロック片１７を内方向へ押圧するために、前記リテーナカラー１３の複数箇所には、例えば、ボールなどのごとき押圧片１９が径方向（放射方向）へ移動自在に備えられている。そして、前記リテーナカラー１３の外側には回動リング２１が回動可能に嵌合してあり、この回動リング２１の内周面には、前記押圧片１９を介して前記弾性ロック片１７を内方向へ押圧した状態に保持する押圧保持部２１Ａが備えられている。さらに、前記回動リング２１の内周面には、前記弾性ロック片１７を押圧することなく前記押圧片１９を受け入れ可能な凹状の押圧片受入部２１Ｂが形成してある。
【００１５】
上記構成により、回動リング２１の内周面の押圧保持部２１Ａによって押圧片１９を弾性ロック片１７の弾性に抗して内方向へ押圧し、弾性ロック片１７の一部を前記円筒突出部１５の係合凹部１５に係合することにより、リテーナカラー１３は、パンチガイド３に対して軸方向（図１において上下方向）に移動することのないように固定された状態にある。
【００１６】
そして、前記回動リング２１を回動操作して、前記押圧片１９と回動リング２１の内周面に形成した押圧片受入部２１Ｂとが対応した関係に保持すると、弾性ロック片１７の弾性によって押圧片１９は押圧片受入部２１Ｂに係合するように外方向へ移動されるので、弾性ロック片１７は元の状態に復帰して、前記円筒突起部１５の係合凹部１５Ａから離脱する。したがって、前記パンチガイド３に対してリテーナカラー１３を、図１において相対的に上方向へ取り外すことができる。
【００１７】
上記説明より理解されるように、前記リテーナカラー１３は、回動リング２１を回動操作することにより、パンチガイド３に対して固定することができると共に、上記固定を解除することができる。すなわち、前記回動リング２１を回動する簡単な操作でもって、リテーナカラー１３を、パンチガイド３に対して容易に着脱することができる。
【００１８】
前記リテーナカラー１３には円筒形状のパンチヘッド２３の下端部が上下動自在に嵌入してあり、このパンチヘッド２３の下端部には、上方向への抜け止め用のストッパ２５が取付けてある。上記パンチヘッド２３は、一種のナット部材をなすものであって、上部付近の内周面には雌ねじ部２７が形成してある。そして、前記パンチヘッド２３の上部に備えた拡大部２３Ａと前記リテーナカラー１３との間には、強力なストリッパースプリング２９が弾装してある。
【００１９】
前記パンチガイド３の内部には、下端部にパンチ刃部３１を備えたパンチボディ３３が上下動自在に嵌入してある。上記パンチボディ３３は一種の雄ねじ部材をなすものであって、当該パンチボディ３３の上部は前記パンチヘッド２３内に嵌入してある。そして、パンチボディ３３の上端部には、前記パンチヘッド２３に形成した前記雌ねじ部２７に螺合した雄ねじ部３５が形成してある。
【００２０】
したがって、前記パンチ刃部３１が摩耗し再研磨することにより、前記パンチボディ３３の長さが僅かに短くなった場合には、パンチボディ３３に対してパンチヘッド２３を相対的に回動して、前記パンチヘッド２３の雌ねじ部２７とパンチボディ３３の雄ねじ部３５との螺合状態を調節する。この調節により、前記パンチヘッド２３の上面２３Ｂから前記パンチ刃部３１までの長さ寸法（高さ寸法）を常に一定寸法に調節することができる。
【００２１】
なお、前記パンチボディ３３は、前記パンチ刃部３１から前記雄ねじ部３５までの全体を一体に備えた構成で例示してある。しかし、パンチボディ３３の構成としては、前記パンチ刃部３１を備えた部分と前記雄ねじ部３５を備えた部分とをそれぞれ別体に構成し、両部分をボルト等の適宜の固定具によって一体化する構成とすることも可能である。
【００２２】
前述のごとく、パンチボディ３３の雄ねじ部３５に対してパンチヘッド２３の雌ねじ部２７の螺合状態を調節した後の緩み止めを行うために、ねじの緩み止め装置が設けられている。
【００２３】
より詳細には、前記パンチヘッド２３の前記拡大部２３Ａには、前記パンチボディ３３における雄ねじ部３５に形成した長手方向の複数の溝３７（図２参照）に内端部が係合可能な複数のロック片３９が放射方向（径方向）へ移動自在に備えられている。このロック片３９は、拡大部２３Ａ内に内装したコイルスプリング等のごときロック片付勢手段４１によって内方向へ付勢されている。
【００２４】
前記パンチヘッド２３における前記拡大部２３Ａの外周面には、パンチヘッド２３の上面（前記拡大部２３の上面２３Ｂ）よりも上面が僅かに低いロックリング４３が回動可能に備えれている。このロックリング４３の内周面には、前記ロック片３９の外端部と当接してロック片３９の外方向への移動を規制する移動規制部４５が等間隔に複数備えられていると共に、前記ロック片３９の外方向への移動を許容する移動許容部４７が等間隔に前記各移動規制部４５の間にそれぞれ備えられている。
【００２５】
前記ロックリング４３に備えた移動規制部４５は、前記ロック片３９の内端部が前記雄ねじ部３５の溝３７に係合した状態にあるとき、前記ロック片３９の外端部に対向した位置にあってロック片３９の外方向への移動を規制する部分で、周方向に等間隔に設けてある。そして、ロックリング４３に備えた前記移動許容部４７は、前記ロック片３９の外端部に対向した位置にあるとき、ロック片３９の内端部が前記溝３７から離脱可能なように、ロック片３９の外方向への移動を許容する部分で、周方向に等間隔にかつ前記移動規制部４５の間にそれぞれ配置してある。本実施形態においては、前記ロック片３９の外端部が入り込み可能な貫通穴にて例示してある。しかし、移動許容部４７は、貫通穴に限ることなく、ロックリング４３の内周面に凹部を形成した構成とすることも可能である。
【００２６】
前記ねじの緩み止め装置には、前記ロックリング４３の前記移動規制部４５が前記ロック片３９に常に対向して外方向への移動を規制する固定位置に保持する固定位置保持手段４９が備えられている。さらに、ねじの緩み止め装置には、前記パンチヘッド２３の拡大部２３Ａに対して前記ロックリング４３を回動したとき、ロックリング４３を前記固定位置へ自動的に復帰するための固定位置復帰手段５１（図３参照）が備えられている。
【００２７】
より詳細には、前記固定位置保持手段４９は、前記ロックリング４３の内周面に形成した係合凹部５３に係合自在なボールなどのごとき係合片５５を、前記係合凹部５３へ係合する方向へ付勢して備えたボールプランジャなどのごときロック手段５７よりなるものである。なお、前記ロック手段５７を拡大部２３Ａに備えた場合について例示するが、係合凹部５３とロック手段５７とを設ける箇所は相対的なものであり、前記拡大部２３Ａの外周面に係合凹部５３を形成し、ロックリング４３にロック手段５７を備えた構成とすることも可能である。
【００２８】
前記ロック手段５７における係合片５５が係合凹部５３に係合した状態にあるときは、図２（Ａ）に示すように、前記ロック片３９の内端部が雄ねじ部３５の溝３７に係合し、上記ロック片３９の外端部とロックリング４３の移動規制部４５とが対向して、ロック片３９の外方向への移動が規制された状態にある。すなわち、パンチボディ３３の雄ねじ部３５に対してパンチヘッド２３の拡大部２３Ａを固定して、ねじ部の緩み止めを行った状態にある。
【００２９】
前記固定位置復帰手段５１は、前記拡大部２３Ａに対して前記ロックリング４３を時計回り方向（正回転方向）に付勢したスプリング等のごとき第１弾性部材５９Ａと、前記ロックリング４３を反時計回り方向（逆回転方向）に付勢した第２弾性部材５９Ｂを備えてなるものである。
【００３０】
上記第１、第２の弾性部材５９Ａ，５９Ｂは、前記パンチヘッド２３における拡大部２３Ａの外周面に形成した外周溝２３Ｃ（図１参照）内に内装してあり、この第１，第２の弾性部材５９Ａ，５９Ｂが互に対向した一端面（対向面）は、前記ロックリング４３の内周面に突設した規制ピン６１（図３参照）に当接してある。そして、上記第１，第２の弾性部材５９Ａ，５９Ｂの他端面は、前記拡大部２３Ａから外方向へ突設し、かつ互に離隔してある固定ピン６３Ａ，６３Ｂにそれぞれ当接してある。
【００３１】
そして、前記ロックリング４３には、前記拡大部２３Ａに対するロックリング４３の回動を規制するために、ロックリング４３の時計回り方向及び反時計回り方向への回動時に、前記両固定ピン６３Ａ，６３Ｂに当接自在なストッパーピン６５が備えられている。
【００３２】
以上のごとき構成において、パンチ金型１は、パンチプレスにおけるパンチホルダに、パンチガイド３を上下動自在に装着して使用されるものであり、パンチプレスに上下動自在に備えたラム（ストライカ）によってパンチヘッド２３の上面２３Ｂが打圧される。この際、ロックリング４３の上面はパンチヘッド２３の上面２３Ｂより低く設けられているので、ロックリング４３が前記ストライカによって直接打圧されるようなことはない。したがって、ロックリング４３は変形等を受けるようなことがなく、パンチヘッド２３の拡大部２３Ａに対して常に良好に回動操作することができる。
【００３３】
前記パンチ金型１の使用によってパンチ刃部３１が摩耗したときには、パンチプレスのパンチホルダからパンチ金型１を取り出し、前述したようにパンチガイド３からリテーナカラー１３を取り外す。その後、パンチヘッド２３における雌ねじ部２７とパンチボディ３３における雄ねじ部３５の螺合を解除してパンチボディ３３を取り出して、前記パンチ刃部３１の再研磨を行うものである。そして、パンチ刃部３１を再研磨した後には、パンチボディ３３の雄ねじ部３５をパンチヘッド２３の雌ねじ部２７に再び螺合し、初期状態に復帰してパンチ金型１の再使用が行われる。
【００３４】
前述のごとく、パンチヘッド２３における雌ねじ部２７とパンチボディ３３に備えた雄ねじ部３５との螺合、解除を行うときには、緩み止め装置における固定状態を解除する必要がある。そこで、前記雌ねじ部２７と雄ねじ部３５との螺合、解除を行うには、次のごとき操作を行う。
【００３５】
図２（Ａ）に示すように、ロック片３９における内端部が雄ねじ部３５の溝３７に係合し、ロックリング４３の移動規制部４５によって前記ロック片３９の外方向への移動が規制され、かつ固定位置保持手段４９に備えた係合片５５がロックリング４３の係合凹部５３に係合した状態は、パンチボディ３３とパンチヘッド２３とを一体的に固定した状態にある。この際、第１，第２の弾性部材５９Ａ，５９Ｂは、図３（Ａ）に示すように、ほぼ等しい長さにあって、ロックリング４３を、時計回り方向及び反時計回り方向へほぼ等しい力で付勢した状態にある。
【００３６】
したがって、前記雌ねじ部２７と雄ねじ部３５は相対的な回動が不可能なロック状態、すなわち緩み止め防止状態にある。
【００３７】
上述のごとく、緩み止め防止状態にあるとき、ロックリング４３を把持して、パンチヘッド２３の拡大部２３Ａに対してロックリング４３を、図３（Ｂ）に示すように時計回り方向に回動すると、第１弾性部材５９Ａは伸長し、第２弾性部材５９Ｂは圧縮され収縮される。そして、ロックリング４３に備えたストッパーピン６５が一方の固定ピン６３Ａに当接することによって、時計回り方向の回動が規制される。
【００３８】
前述のごとく、ストッパーピン６５が一方の固定ピン６３Ａに当接すると、図２（Ｂ）に示すように、パンチヘッド２３の拡大部２３Ａに備えたロック片３９の外端部とロックリング４３に備えた移動許容部４７が対向し、ロック片３９が外方向へ移動可能な状態となる。
【００３９】
したがって、前記ストッパーピン６５が一方の固定ピン６３Ａに当接した状態を保持してロックリング４３をさらに時計回り方向に回動すると、ロック片３９の内端部が雄ねじ部３５の溝３７から離脱する。
【００４０】
よって、パンチボディ３３の雄ねじ部３５に対してパンチヘッド２３の雌ねじ部２７を時計回り方向に回動することができ、パンチボディ３３とパンチボディ２３との螺合状態を調節することができる。
【００４１】
そして、適宜位置の溝３７にロック片３９の内端部が係合した後に、前記ロックリング４３の把持を解除すると、圧縮されていた第２弾性部材５９Ｂが伸長するので、ロックリング４３は反時計回り方向へ自動的に回動される。すなわち、ロックリング４３は、図２（Ａ）に示す初期の固定状態の位置へ自動的に回動復帰される。すなわち、前記雄ねじ部３５に対して雌ねじ部２７を回動不能に固定した状態が自動的に得られる。
【００４２】
なお、パンチボディ３３に対してパンチヘッド２３を反時計回り方向に回動するときも、前記動作に準じた動作が行われるものであるから、パンチヘッド２３を反時計回り方向に回動する場合の説明は省略する。
【００４３】
以上のごとき説明より理解されるように、パンチボディ３３の雄ねじ部３５に対してパンチヘッド２３の雌ねじ部２７を時計回り方向又は反時計回り方向に回動して、パンチボディ３３とパンチヘッド２３との螺合状態を調節するとき、工具を用いることなく容易に調節することができる。
【００４４】
そして、前記雄ねじ部３５と雌ねじ部２７との螺合状態を調節した後は、雄ねじ部３５に対して雌ねじ部２７の相対的な回動が不可能な固定状態に自動的に保持されるので、雄ねじ部３５と雌ねじ部２７とのロックを容易に行い得るものである。
【００４５】
なお、ねじの緩み止め装置としては、パンチ金型におけるパンチボディ３３の雄ねじ部３５とパンチヘッド２３の雌ねじ部２７の緩み止めを行う場合について例示した。しかし、ねじの緩み止め装置は、雄ねじ部と雌ねじ部とを螺合する構成の種々のねじ機構に適用することができる。
【図面の簡単な説明】
【００４６】
【図１】本発明の実施形態に係るパンチ金型及びパンチ金型にねじの緩み止め装置を適用した場合の構成を示す断面説明図である。
【図２】図１における（２）−（２）線に沿った断面の作用説明図である。
【図３】図１における（３）−（３）線に沿った断面の作用説明図である。
【符号の説明】
【００４７】
１…パンチ金型
３…パンチガイド
２３…パンチヘッド
２３Ａ…拡大部
２３Ｂ…上面
２３Ｃ…外周溝
２５…ストッパ
２７…雌ねじ部
３１…パンチ刃部
３３…パンチボディ
３５…雄ねじ部
３７…溝
３９…ロック片
４１…ロック片付勢手段
４３…ロックリング
４５…移動規制部
４７…移動許容部
４９…固定位置保持手段
５１…固定位置復帰手段
５７…ロック手段
５９Ａ…第１弾性部材
５９Ｂ…第２弾性部材
６１…規制ピン
６３Ａ，Ｂ…固定ピン
６５…ストッパーピン
【図１】
2006000889.tif 000003
【図２】
2006000889.tif 000004
【図３】
2006000889.tif 000005